(57)【要約】      （修正有）【課題】ケーブルテレビ同軸ビデオネットワーク伝送器を提供する。【解決手段】周縁に複数の信号伝送ポート１１〜１４を設ける上蓋１と、数量が該信号伝送ポートに対応し、底面に縦方向に導電ピン２３、２３ａ〜２３ｃを伸出する複数の導電接続ソケット２、２ａ〜２ｃと、該上蓋底部に取り付けられ、内部にプリント回路板３１を設ける底蓋３と、数量が該導電接続ソケットに対応し、且つ該導電ピンの位置に対応して該プリント回路板に固定設置される複数の挿入接続ソケット４、４ａ〜４ｃと、を含み、そのうち、各挿入接続ソケット一側に該プリント回路基板に挿入接続する少なくとも１つの接続ピンを有し、他側に弾性挟持端を有し、該挟持端の内側に対称であり且つ各導電ピンを挿入接続させる一対の弧形挟持部を設け、該一対の挟持部の寸法がそれと各導電ピンの接触長さ及び接触面積を定義し、該伝送器の帯域幅を調整する。【選択図】図２
0003204119.tif 000002
【実用新案登録請求の範囲】
【請求項１】
周縁に複数の信号伝送ポートを設ける上蓋と、
数量が前記信号伝送ポートに対応し、該上蓋内部に固定され、各前記信号伝送ポートに隣接する第１開口をそれぞれ開設し、底面に縦方向に導電ピンを伸出する複数の導電接続ソケットと、
該上蓋底部に取り付けられ、密封を形成し、内部にプリント回路板を設ける底蓋と、
その数量が前記導電接続ソケットに対応し、且つ前記導電ピンの位置に対応して該プリント回路板に固定設置される複数の挿入接続ソケットと、
を含み、そのうち、各前記挿入接続ソケット一側に該プリント回路基板に挿入接続する少なくとも１つの接続ピンを有し、他側に弾性挟持端を有し、該挟持端の内側に対称であり且つ各前記導電ピンを挿入接続させる一対の弧形挟持部を設け、該一対の挟持部の寸法がそれと各前記導電ピンの接触長さ及び接触面積を定義し、そのうち、各前記挿入接続ソケットの厚さは、０．５ｍｍ〜０．７ｍｍの間であり、総高さが６ｍｍ〜８ｍｍの間であり、該一対の挟持段と各導電ピンの接触長さは、２ｍｍ〜４ｍｍの間であるケーブルテレビ同軸ビデオネットワーク伝送器。
【請求項２】
各前記信号伝送ポートの垂直方向に信号ロックポートを設け、各前記導電接続ソケットの該第１開口の垂直方向に第２開口を設け、該第２開口は、各前記信号ロックポートに隣接し、更に、線固定螺子を各前記信号ロックポート及び各前記第２開口に通過させた後、各前記導電ピンの本体内に挿入させる請求項１に記載のケーブルテレビ同軸ビデオネットワーク伝送器。
【請求項３】
前記プリント回路板は、該一対の挟持部の位置に隣接して各前記導電ピンを挿入させる板孔を開設する請求項１に記載のケーブルテレビ同軸ビデオネットワーク伝送器。
【請求項４】
前記一対の挟持部上部にイッツの内向きに傾斜するガイド斜面を有する請求項１に記載のケーブルテレビ同軸ビデオネットワーク伝送器。
【請求項５】
一側に少なくとも１つ接続ピンを設け、他側に弾性挟持端を有し、該挟持端の内側に対称であり且つ各導電ピンを挿入接続させる一対の弧形挟持部を設け、該一対の挟持部の寸法がそれと前記導電ピンの接触長さ及び接触面積を定義し、そのうち、各挿入接続ソケットの厚さは、０．５ｍｍ〜０．７ｍｍの間であり、総高さが６ｍｍ〜８ｍｍの間であり、該一対の挟持段と各前記導電ピンの接触長さは、２ｍｍ〜４ｍｍの間であるケーブルテレビ同軸ビデオネットワーク伝送器に用いる挿入接続ソケット。
【請求項６】
前記一対の挟持部は、一対の内向きに傾斜するガイド斜面を有する請求項５に記載のケーブルテレビ同軸ビデオネットワーク伝送器に用いる挿入接続ソケット。
【考案の詳細な説明】
【技術分野】
【０００１】
本考案は、ケーブルテレビ同軸ビデオネットワーク伝送器に関し、特に、ケーブルテレビシステムの周波数信号の品質を改善し、高電流通過の要求を満たすこと
ができるケーブルテレビ同軸ビデオネットワーク伝送器に関する。
【背景技術】
【０００２】
ケーブルテレビシステムは、信号伝送線を利用して、基地局が収集した各テレビ局の信号を各視聴者に伝送し、基地局と視聴者の間は、一対多の関係であり、
且つ基地局と視聴者の間に一定の距離があり、従って、長距離の伝送過程中に発生する信号の減衰を如何に防止するか、及び信号分配及びアダプタ等の問題は、
ケーブルテレビ同軸ビデオネットワーク伝送器、例えば、ラインパッシブ（Line Passive）部材から信号分岐器に伝送し、その後、各視聴者に分岐接続し、これにより、プログラムチャネル、電話、インターネット及び衛星信号等のサービスを提供する。該ラインパッシブ部材の実施時、それは、電源挿入器(Power Inserter)、信号結合器(Directional Coupler)又は信号分岐器(2/3way Line Splitter)を含む。
【０００３】
本考案の出願人が有する中華民国実用新案公告第４２４９９２号に示されるように、該挿入接続ソケットとする導電スリーブ及び導電ソケットの導電柱の挿入接続時、両者の接触長さは、６ｍｍ〜８ｍｍである。図１に示すように、該導電柱が該導電スリーブに挿入される時、入力端及び出力端の反射損失(Return Loss)は、１２１８ＭＨｚにおいて基準ラインより高くなる現象が出現し、この現象は、周波数信号に対する伝送品質に対して影響を及ぼす。
【０００４】
現在のケーブルテレビシステムが提供可能な周波数は、５ＭＨｚ〜１００２ＭＨｚであり、既存の帯域幅を向上させたい場合、ケーブルテレビ同軸ビデオネットワーク伝送器は、内部の各種アクティブ、パッシブ部材自身の特性の差異の制限を受け、達成することができなくなる。従って、ケーブルテレビシステムが提供できるサービスも帯域幅の問題により、制限を受ける。
【０００５】
現有の伝送器の帯域幅を上げることができない欠陥に基づき、現在の周波数（５ＭＨｚ〜１００２ＭＨｚ）を如何にして５ＭＨｚ〜１２１８ＭＨｚに推進し、より多くのプログラムチャネル、電話、インターネット及び衛星信号等のサービスを提供するかは、ケーブルテレビシステム業者が克服を期待する難題である。
【先行技術文献】
【特許文献】
【０００６】
【特許文献１】特表２００２−５０５０４２号公報
【考案の概要】
【考案が解決しようとする課題】
【０００７】
本考案の目的は、ケーブルテレビ同軸ビデオネットワーク伝送器を提供することであり、該伝送器は、例えば、ラインパッシブ部材(Line-Passive)が内部の挿入接続ソケットに改良を行い、該挿入接続ソケットに導電接続ソケットの導電ピンを挿入接続させた後、該挿入接続ソケットと該導電ピンは、接触長さと接触面積の減縮により、該ケーブルテレビ同軸ビデオネットワーク伝送器の帯域幅を向上させ、ケーブルテレビシステムが伝送する周波数信号の品質を確保する。
【課題を解決するための手段】
【０００８】
前記目的を達成する為、本考案が採用する技術手段は、ケーブルテレビ同軸ビデオネットワーク伝送器を提供することであり、それは、周縁に複数の信号伝送ポートを設ける上蓋と、数量が該信号伝送ポートに対応し、該上蓋内部に固定され、各信号伝送ポートに隣接する第１開口をそれぞれ開設し、底面に縦方向に導電ピンを伸出する複数の導電接続ソケットと、該上蓋底部に取り付けられ、密封を形成し、内部にプリント回路板を設ける底蓋と、その数量が該導電接続ソケットに対応し、且つ該導電ピンの位置に対応して該プリント回路板に固定設置される複数の挿入接続ソケットと、を含み、そのうち、各挿入接続ソケット一側に該プリント回路基板に挿入接続する少なくとも１つの接続ピンを有し、他側に弾性挟持端を有し、該挟持端の内側に対称であり且つ各導電ピンを挿入接続させる一対の弧形挟持部を設け、該一対の挟持部の寸法がそれと各導電ピンの接触長さ及び接触面積を定義し、該伝送器の帯域幅を調整し、そのうち、各挿入接続ソケットの厚さは、０．５ｍｍ〜０．７ｍｍの間であり、総高さが６ｍｍ〜８ｍｍの間であり、該一対の挟持段と各導電ピンの接触長さは、２ｍｍ〜４ｍｍの間である。
【０００９】
本考案のもう１つの目的は、ケーブルテレビ同軸ビデオネットワーク伝送器を提供することであり、それは、構造に対して改良を行い、該挿入接続ソケットに導電接続ソケットの導電ピンを挿入接続させた後、該挿入接続ソケット及び該導電ピンは、接触長さと接触面積の減縮により、該ケーブルテレビ同軸ビデオネットワーク伝送器の帯域幅を向上させ、ケーブルテレビシステムが伝送する周波数信号の品質を確保する。
【００１０】
前記目的を達成する為、本考案が採用する技術手段は、ケーブルテレビ同軸ビデオネットワーク伝送器に用いる挿入接続ソケットを提供することであり、それは、一側に少なくとも１つ接続ピンを設け、他側に弾性挟持端を有し、該挟持端の内側に対称であり且つ各導電ピンを挿入接続させる一対の弧形挟持部を設け、
該一対の挟持部の寸法がそれと導電ピンの接触長さ及び接触面積を定義し、該伝送器の帯域幅を調整し、そのうち、各挿入接続ソケットの厚さは、０．５ｍｍ〜０．７ｍｍの間であり、総高さが６ｍｍ〜８ｍｍの間であり、該一対の挟持段と各導電ピンの接触長さは、２ｍｍ〜４ｍｍの間である。
【考案の効果】
【００１１】
本考案の実施によって得られる増益の効果は、該挿入接続ソケットは、ケーブルテレビシステムの高周波（９００ＭＨｚ〜１２１８ＭＨｚ）における周波数信号品質を拡張及び改善することができ、ケーブルテレビシステムに現在の周波数５ＭＨｚ〜１００２ＭＨｚを５ＭＨｚ〜１２１８ＭＨｚへ推進させることができ、
より多くのプログラムチャネル、電話、インターネット及び衛星信号等のサービスを提供することができる。特に、該挿入接続ソケットは、導電挿入接続ソケッ
トの挿入時に最適な接触長さ及び接触面積を確保することができ、且つ回路板上の電子部材に対して電子特性上の変化を発生させる影響がなく、また、十分な接触面積を提供することができ、伝送器に高い電流（１０〜２０アンペア）及び雷撃の通過を受けることができ、損壊せず、ケーブルテレビシステムの周波数信号の品質を確保し、同類の物品が未聞の良好な構造ということができる。
【図面の簡単な説明】
【００１２】
【図１】従来のケーブルテレビ同軸ビデオネットワーク伝送器の入力端及び出力端における反射損失の説明図である。
【図２】本考案のケーブルテレビ同軸ビデオネットワーク伝送器の立体分解図である。
【図３】本考案の挿入接続ソケットの立体図である。
【図４】本考案のケーブルテレビ同軸ビデオネットワーク伝送器及び信号伝送コネクタの組み立て後の立体図である。
【図５】図４は、線Ａ−Ａに沿って切り取った断面図である。
【図６】本考案の導電ピンが挿入接続ソケットに挿入された断面図である。
【図７】本考案の有線テレビ同軸ビデオネットワーク伝送器の入力端及び出力端の反射損失の説明図である。
【考案を実施するための形態】
【００１３】
図２〜図６に示すように、基本的に、該ケーブルテレビ同軸ビデオネットワーク伝送器、例えば、ラインパッシブ部材(Line Passive)は、上蓋１、複数の導電接続ソケット２、底蓋３、及び数量が導電接続ソケットに対応する挿入接続ソケット４を含む。
【００１４】
該上蓋１は、アルミ合金蓋体であり、その周縁、例えば、向かい合う両側に複数の信号伝送ポート１１，１２，１３，１４を設ける。該信号伝送ポート１１，１２，１３，１４の配置に便利であるため、該第１、第２信号伝送ポート１１，１２及び該第３、第４信号伝送ポート１３，１４は、それぞれ該上蓋１両側に向かい合わせ設けられる。また、該信号伝送ポート１１，１２，１３，１４の垂直方向にそれぞれ信号ロックポート１５，１６，１７，１８を設ける。事実上、該複数の信号伝送ポート１１，１２，１３，１４は、信号ロックポートとすることもでき、該信号ロックポート１５，１６，１７，１８が、対応して信号伝送ポートとすることもできる。
【００１５】
該信号ロックポートを定義することに便利であるため、該第１信号伝送ポート１１に垂直方向に隣接するものを第１信号ロックポート１５と命名し、該第２信号伝送ポート１２に垂直方向に隣接するものは、該第２信号ロックポート１６と命名し、この類推に基づき、それぞれ第３信号ロックポート１７及び第４信号ロックポート１８を得ることができる。
【００１６】
導電接続ソケット２の数量は、信号伝送ポートに対応し、例えば、本実施例の信号伝送ポートは４つあるので、４つの導電接続ソケット２を設け、それぞれ第１導電接続ソケット２、第２導電接続ソケット２ａ、第３導電接続ソケット２ｂ及び第４導電接続ソケット２ｃとして命名する。該導電接続ソケット２，２ａ，２ｂ，２ｃは、該上蓋１内部のベース上に固定され、ケーブルテレビシステム業者の基地局に伝送される信号を受信することができる。
【００１７】
導電接続ソケット２，２ａ，２ｂ，２ｃの構造は完全に同一であるので、説明に便利であるため、第１導電接続ソケット２について説明し、該第１導電接続ソケット２は、第１開口２１を開設し、該第１開口２１は、該第１振動伝送ポート１１に隣接する。そのうち、該第１開口２１は、垂直方向に更に第２開口２２を設け、該第２開口２２を該第１信号ロックポート１５に隣接させる。そのうち、該第１導電接続ソケット２底面に縦方向に信号を伝送可能な第１導電ピン２３を伸出する。
【００１８】
従って、該伝送器は、信号伝送プラグと接続したい時、先ず、両側の４つの第１、第２、第３、第４信号伝送プラグ５，６，７，８をそれぞれ該上蓋１の第１
、第２、第３、第４信号伝送ポート１１，１２，１３，１４にロックし、該信号伝送プラグ５，６，７，８の第１、第２、第３、第４信号伝送導体５１，６１，７１，８１を該第１、第２、第３、第４導電接続ソケット２，２ａ，２ｂ，２ｃの第１開口２１に通過させ、該第１、第２、第３、第４導電ピン２３，２３ａ，２３ｂ，２３ｃの本体内に挿入し、４つの線固定螺子２４を該第１、第２、第３、第４信号ロックポート１５，１６，１７，１８、及び該第１、第２、第３、第４導電接続ソケット２，２ａ，２ｂ，２ｃの第２開口２２に通過させた後、それぞれ該第１、第２、第３、第４伝送導体５１，６１，７１，８１及び該第１、第２、第３、第４導電接続ソケット２，２ａ，２ｂ，２ｃの各導電ピン２３，２３ａ，２３ｂ，２３ｃを一つに固定する。
【００１９】
該底蓋３は、アルミ合金蓋体であり、それは、例えば、該上蓋１底部に螺合され、密封式殻体を形成する。該底蓋３内部にプリント回路板３１を設け、該プリント回路板３１は、各導電接続ソケット２，２ａ，２ｂ，２ｃの導電ピン２３，２３ａ，２３ｂ，２３ｃの位置に対応して第１、第２、第３、第４挿入接続ソケット４，４ａ，４ｂ，４ｃを相対設置し、且つ該挿入接続ソケット４，４ａ，４ｂ，４ｃが各導電ピン２３，２３ａ、２３ｂ、２３ｃを挿入接続後、信号接続を形成する。
【００２０】
図２、図３、図５及び図６を参照し、第１、第２、第３、第４挿入接続ソケット４，４ａ，４ｂ，４ｃの構造は全く同じであるので、説明に便利であるため、
第１挿入接続ソケット４について説明し、該挿入接続ソケット４は、細長状三角形に類似し、その一側の密閉端４１は、少なくとも１つのピン４２を有し、該ピン４２は、該プリント回路板３１が設ける接続孔３１１を挿入し、溶接固定される。他側に弾性挟持端４３を有し、該挟持端４３内側に対称であり且つ各導電ピン２３，２３ａ，２３ｂ，２３ｃを挿入接続させる一対の弧形挟持部４４を設け、且つ該プリント回路板３１は、該一対の挟持部４４の位置に隣接して各導電ピン２３，２３ａ，２３ｂ，２３ｃを挿入させる板孔３１２を開設する。そのうち、該一対の挟持部４４上部に一対の内向きに傾斜するガイド斜面４４１を有する。従って、該一対の挟持部４４の寸法設計によってそれと各導電ピン２３，２３ａ，２３ｂ，２３ｃの接触長さ及び接触面積を定義でき、該伝送器の帯域幅及び周波数信号の品質を調整することができる。
【００２１】
事実上、該挿入接続ソケット４は、金属片がスタンピング及び湾折工程を経て細長状三角形の挟持体に成型され、そのうち、該金属片の厚さは、０．５ｍｍ〜０．７ｍｍの間であり、且つピン４２の総高さは６ｍｍ〜８ｍｍの間であり、特に、該一対の挟持部４４と導電ピン２３の接触長さは、２ｍｍ〜４ｍｍの間に介し、以下の特性を確保する：
（１）該挿入接続ソケット４，４ａ，４ｂ，４ｃは、該導電ピン２３，２３ａ，２３ｂ，２３ｃの引っ張り力を受けることができ、緩み、脱落を生じることがない。
（２）ケーブルテレビシステムの周波数信号、伝送器の挿入接続ソケット４，４ａ，４ｂ，４ｃと該導電ピン２３，２３ａ，２３ｂ，２３ｃの結合時、該挿入接続ソケット４，４ａ，４ｂ，４ｃは単一の金属部材であり、プラスチック部材がプリント回路板３１に対して発生する感応及び高い電流が通過する時にプラスチック部材が高温で溶解する危険性を回避し、且つ該挿入接続ソケット４，４ａ，４ｂ，４ｃ及び該導電ピン２３，２３ａ，２３ｂ，２３ｃは、３６０度の全面接触ではなく、伝送器上の電子部材に対する干渉を低減することができる以外、更に、該挿入接続ソケット４，４ａ，４ｂ，４ｃは、適当な金属材料の厚さを有し、比較的大きな電流を通過させることができ、該伝送器が雷撃により生じる破壊に耐えることができる。
（３）ケーブルテレビシステムの周波数信号は、帯域幅５ＭＨｚ〜１２１８ＭＨｚで良好な信号品質を確保することができる。
【００２２】
図４及び図５に示すように、本願の伝送器の組み立て後、ケーブルテレビシステムの基地局が提供する周波数信号が該第１信号伝送プラグ５及びその第１信号伝送導体５１を介して該第１信号伝送ポート１１から該伝送器、例えば、ラインパッシブ部材に入り、その後、該第１導電接続ソケット２の導電ピン２３及び該第１挿入接続ソケット４によって該プリント回路板３１に伝送される。該周波数信号は、該プリント回路板３１の変換を経た後、該ラインパッシブ部材の異なる製品に応じて異なる信号伝送経路を有する。
【００２３】
該ラインパッシブ部材が電源挿入器（Power Inserter）である時、前記周波数信号は、該第１信号伝送ポート１１、該第１導電接続ソケット２の導電ピン２３及び該第１挿入接続ソケット４から該プリント回路板３１へ伝送される以外に、更に、該第３信号伝送プラグ７及びその第３信号伝送導体７１から電源供給を、該第３信号伝送ポート１３を介して該ラインパッシブ部材に進入させ、その後、第３導電接続ソケット２ｂの導電ピン２３ｂ及び該第３挿入接続ソケット４ｂを経て該プリント回路板３１に伝送される。該プリント回路板３１が受信した周波数信号及び電源が変換を経た後、該第１、第２挿入接続ソケット４，４ａからそれぞれ該第１、第２導電接続ソケット２，２ａの２つの導電ピン２３，２３ｂに伝送され、その後、第１、第２信号伝送導体５１，６１及び第１、第２信号伝送プラグ５，６により信号をケーブルテレビシステムのネットワークに伝送する。
【００２４】
ラインパッシブ部材が信号結合器 (Directional Coupler)又は信号分岐器(2/3way Line Splitter)である時、周波数信号は、該第１信号伝送プラグ５及びその第１信号伝送導体５１を介して該第１信号伝送ポート１１から該ラインパッシブ部材に入り、その魏、該第１導電接続ソケット２の導電ピン２３及び該第１挿入接続ソケット４を経て該プリント回路板３１に伝送され、該プリント回路板３１の変換を経て、必要に応じてそれぞれ周波数信号を該挿入接続ソケット４ａ，４ｂ，４ｃを介して該導電接続ソケット２ａ、２ｂ、２ｃの各導電ピン２３ａ，２３ｂ，２３ｃへ伝送され、その後、該第２、第３、第４信号伝送導体６１，７１，８１及び該第２、第３、第４信号伝送プラグ６，７，８を介して周波数信号をケーブルテレビシステムのネットワークに伝送する。
【００２５】
図７に示すように、該伝送器の実施時、その入力端及び出力端の反射損失(Return Loss)は、周波数５ＭＨｚ〜１２１８ＭＨｚの間で基準ライン以下に制御することができる。従って、図１及び図７中の入力端及び出力端の反射損失の線形の差異から、各挿入接続ソケット４と各導電ピン２３の接触長さ及び接触面積の差異の帯域幅及び周波数信号品質に対する影響を明確に見出すことができる。
【００２６】
従って、本考案の実施によって得られる増益の効果は、該挿入接続ソケットは、ケーブルテレビシステムの高周波（９００ＭＨｚ〜１２１８ＭＨｚ）における周波数信号品質を拡張及び改善することができ、ケーブルテレビシステムに現在の周波数５ＭＨｚ〜１００２ＭＨｚを５ＭＨｚ〜１２１８ＭＨｚへ推進させることができ、より多くのプログラムチャネル、電話、インターネット及び衛星信号等のサービスを提供することができる。特に、該挿入接続ソケットは、導電挿入接続ソケットの挿入時に最適な接触長さ及び接触面積を確保することができ、且つ回路板上の電子部材に対して電子特性上の変化を発生させる影響がなく、また、十分な接触面積を提供することができ、伝送器に高い電流（１０〜２０アンペア）及び雷撃の通過を受けることができ、損壊せず、ケーブルテレビシステムの周波数信号の品質を確保し、同類の物品が未聞の良好な構造ということができる。
【００２７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２８】
１  上蓋
１１，１２，１３，１４  信号伝送ポート
１５，１６，１７，１８  信号ロックポート
２，２ａ，２ｂ，２ｃ  導電接続ソケット
２１  第１開口
２２  第２開口
２３，２３ａ，２３ｂ，２３ｃ  導電ピン
２４  線固定螺子
３  底蓋
３１  プリント回路板
３１１  接続孔
３１２  板孔
４，４ａ，４ｂ，４ｃ  挿入接続ソケット
４１  密閉端
４２  接続ピン
４３  挟持端
４４  挟持部
４４１  ガイド斜面
５，６，７，８  信号伝送プラグ
５１，６１，７１，８１  信号伝送導体
【図１】
0003204119.tif 000003
【図２】
0003204119.tif 000004
【図３】
0003204119.tif 000005
【図４】
0003204119.tif 000006
【図５】
0003204119.tif 000007
【図６】
0003204119.tif 000008
【図７】
0003204119.tif 000009
【手続補正書】
【提出日】平成28年3月4日(2016.3.4)
【手続補正１】
【補正対象書類名】実用新案登録請求の範囲
【補正対象項目名】請求項１
【補正方法】変更
【補正の内容】
【請求項１】
周縁に複数の信号伝送ポートを設ける上蓋と、
数量が前記信号伝送ポートに対応し、該上蓋内部に固定され、各前記信号伝送ポートに隣接する第１開口をそれぞれ開設し、底面に縦方向に導電ピンを伸出する複数の導電接続ソケットと、
該上蓋底部に取り付けられ、密封を形成し、内部にプリント回路板を設ける底蓋と、
その数量が前記導電接続ソケットに対応し、且つ前記導電ピンの位置に対応して該プリント回路板に固定設置される複数の挿入接続ソケットと、
を含み、そのうち、各前記挿入接続ソケット一側に該プリント回路基板に挿入接続する少なくとも１つの接続ピンを有し、他側に弾性挟持端を有し、該挟持端の内側に対称であり且つ各前記導電ピンを挿入接続させる一対の弧形挟持部を設け、該一対の挟持部の寸法がそれと各前記導電ピンの接触長さ及び接触面積を定義し、そのうち、各前記挿入接続ソケットの厚さは、０．５ｍｍ〜０．７ｍｍの間であり、総高さが６ｍｍ〜８ｍｍの間であり、該一対の挟持部と各導電ピンの接触長さは、２ｍｍ〜４ｍｍの間であるケーブルテレビ同軸ビデオネットワーク伝送器。
【手続補正２】
【補正対象書類名】実用新案登録請求の範囲
【補正対象項目名】請求項４
【補正方法】変更
【補正の内容】
【請求項４】
前記一対の挟持部上部に一対の内向きに傾斜するガイド斜面を有する請求項１に記載のケーブルテレビ同軸ビデオネットワーク伝送器。
【手続補正３】
【補正対象書類名】実用新案登録請求の範囲
【補正対象項目名】請求項５
【補正方法】変更
【補正の内容】
【請求項５】
一側に少なくとも１つ接続ピンを設け、他側に弾性挟持端を有し、該挟持端の内側に対称であり且つ各導電ピンを挿入接続させる一対の弧形挟持部を設け、該一対の挟持部の寸法がそれと前記導電ピンの接触長さ及び接触面積を定義し、そのうち、前記各挿入接続ソケットの厚さは、０．５ｍｍ〜０．７ｍｍの間であり、総高さが６ｍｍ〜８ｍｍの間であり、該一対の挟持部と各前記導電ピンの接触長さは、２ｍｍ〜４ｍｍの間である請求項１記載のケーブルテレビ同軸ビデオネットワーク伝送器に用いる挿入接続ソケット。